(57)【特許請求の範囲】
【請求項１】
構造物の壁面に取り付ける壁面取付材と、この壁面取付材の壁面取付側とは反対の面に設けられた腕材と、この腕材の前記壁面取付材とは反対側の端部に設けられた支持腕材とを備えた構造物の壁面に取り付けて重量物を支持する重量物壁面取付具において、前記壁面取付材の壁面取付側と反対の面に前記腕材を収納する収納部と、該腕材の移動をガイドする溝部とが形成され、前記腕材の前記壁面取付材側の端部に前記溝部と係合し、かつ該溝部と係合した箇所を中心に該腕材を該壁面取付材に対して回転及び該壁面取付材の長手方向への移動を可能とする回転係合部が設けられ、前記腕材の前記壁面取付材と係合する側の反対側の端部に前記支持腕材を該腕材と重なるように折り畳むための枢支軸を設けると共に、前記支持腕材が該腕材と重なった状態から展開した状態となった際にそれ以上の展開を禁止するストッパ部を設けたことを特徴とする重量物壁面取付具。
【発明の詳細な説明】
【０００１】
【発明の属する技術分野】
本発明は、嵩張らない一体的な構造とし、かつ軽量とすることで、取付作業を簡便にして効率よく取り付けることができると共に高所での作業の危険性を回避することができる構造物の外部壁面に機械装置などの重量物を取り付けるための重量物壁面取付具に関するものである。
【０００２】
【従来の技術】
室内機と室外機とからなるいわゆるセパレートタイプの空気温度調整装置（以下、エアコンという）は、室内機を構造物の内部に、室外機を構造物の外部に設置する。室外機は、構造物の外形、例えば構造物が一般住宅の場合、住宅の壁面に設置する場合がある。
【０００３】
上記したように室外機を壁面に取り付ける取付具としては、例えば特許第３０２５４７０号公報（以下、従来例１という）、特許第３０６７７１３号公報（以下、従来例２という）、特許第３０９８４７２号公報（以下、従来例３という）が知られている。
【０００４】
従来例１は、壁面に横向きに固定される横杆と、横杆から垂下して設けた一対の縦杆と、一対の縦杆の各下端部から正面側に突出して室外機を支持する一対のアームとを備え、アームの縦杆側端部の上から順に、上方に屈曲して後方に突出した鉤状の第１フック部と、下方に屈曲して後方に突出した鉤状の第２フック部とを設け、縦杆の下端部にアームの第１及び第２フック部のそれぞれが嵌合する開口部を設け、かつ縦杆の下端部とアームの後端部との間にロック部材を挿入する構成とされている。
【０００５】
従来例２は、一方の杆体に、他方の杆体の側面部分を沿わせて枢結し、一方の杆体における枢結位置に螺子部を設け、他方の杆体における杆体の螺子部に対応する位置に、一方の杆体に対し他方の杆体を折り畳み状態から連結固定状態へ移行させる際に螺子軸が通過できるように切欠部を形成した構成とされている。
【０００６】
従来例３は、前縁部分に立ち上げて掛止用折曲部を形成した横杆と、後面側が開口すると共に、掛止用折曲部形状と一致する掛止溝を設けた縦杆とを備え、縦杆の掛止溝の開口部並びに前面側縁を、掛止用折曲部が侵入して嵌合位置まで侵入可能に広くし、縦杆の掛止溝形成箇所の前面に、掛止用折曲部を押圧する押圧ボルトを設けた構成とされている。
【０００７】
【発明が解決しようとする課題】
ところで、室外機を壁面に取り付けるということは、少なくとも屋外地面に設置するのではなく、地面に対して高所にて設置するということになる。その場合、脚立や梯子等（以下、代表して梯子で説明する）に昇っての作業となる可能性が高い。従来例１，２，３は、それぞれ作業性に優れ、煩雑な作業を要することなく、室外機を壁面に取り付けることができる構成が開示されているものの、以下の問題があった。
【０００８】
従来例１は、横杆に対して縦杆（及びアーム）が別部材となっており、また、従来例２，３は、壁取付杆に対して吊り下げ杆（及び支持腕杆）が別部材となっている。従って、従来例１では横杆を壁面に取り付けた後、従来例２，３では壁取付杆を壁面に取り付けた後、一旦、梯子から降りて従来例１では縦杆を、従来例２，３では吊り下げ杆を、作業者が持って再度梯子を昇って作業することになる。
【０００９】
仮に梯子に昇る前に、従来例１において横杆に対して縦杆を、従来例２，３においては壁取付杆に対して吊り下げ杆を、取り付けて一体とした状態で作業したとしても、これら一体とした状態では、嵩張ることとなり、今度は梯子を昇ったりするのに危険であると共に、部材を落下させたりする危険もある。
【００１０】
この点については、従来例１は縦杆とアームとが、従来例２，３は吊り下げ杆と支持腕杆とが、共に折り畳まれた状態にすることができるが、従来例１は横杆と縦杆とが、従来例２，３は壁取付杆と吊り下げ杆とが、折り畳んだ状態にできないから、やはり嵩張ることになると共に部材の落下の危険性も残る。
【００１１】
また、この種の取付具は、室外機の荷重に耐えられるように部材そのものを鉄やスチールとしているので、上記したように嵩張るうえにかなりの重量物を持って梯子を昇る必要がありこの点においても危険が伴うことになる。
【００１２】
本発明は、上記の問題を解決するものであり、構造物の壁面に室外機を取り付けるための取付具を、嵩張らない一体的な構造とし、かつ軽量とすることで、取付作業を簡便にして効率よく取り付けることができると共に高所における作業の危険性を回避することができる重量物壁面取付具を提供することを目的とする。
【００１３】
【課題を解決するための手段】
上記の目的を達成するために、本発明は、折り畳んだ状態では壁面取付材の壁面取付側と反対の面の収納部に腕材と支持腕材とが折り畳まれて収納され、構造物の壁面に壁面取付材を取り付けた後に、腕材の回転係合部を回転させて壁面取付材の収納部から腕材を展開し、壁面取付材の溝部に沿って該腕材を移動させ、その後、腕材の枢支軸により支持腕材を該腕材のストッパ部に当接するまで展開するようにした。
【００１４】
このようにすることで、取付具が一体的とされるから、一度に全ての部材を持って梯子や脚立に昇ることができ、また、折り畳んだ状態で小型化され、梯子や脚立に昇る際に嵩張らないから、高所において部材を落下させたり、作業者が梯子や脚立に昇りにくいといった危険性を回避することができる。
【００１５】
【発明の実施の形態】
本発明の重量物壁面取付具は、構造物の壁面に取り付けて重量物を支持するために、構造物の壁面に取り付ける壁面取付材と、この壁面取付材の壁面取付側とは反対の面に設けられた腕材と、この腕材の壁面取付材とは反対側の端部に設けられた支持腕材とを備えた重量物壁面取付具において、壁面取付材の壁面取付側と反対の面に腕材を収納する収納部と、該腕材の移動をガイドする溝部とが形成され、腕材の壁面取付材側の端部に溝部と係合し、かつ該溝部と係合した箇所を中心に該腕材を該壁面取付材に対して回転及び該壁面取付材の長手方向への移動を可能とする回転係合部が設けられ、腕材の壁面取付材と係合する側の反対側の端部に支持腕材を該腕材と重なるように折り畳むための枢支軸を設けると共に、支持腕材が該腕材と重なった状態から展開した状態となった際にそれ以上の展開を禁止するストッパ部を設けたものである。
【００１６】
壁面取付材の他方面における収納部には、腕材が係合したまま該壁面取付材と平行に回転させた状態で収納される。また、壁面取付材の他方面における溝部は、該腕材の移動をガイドする。腕材と壁面取付材とは、溝部において、腕材側に設けられた回転係合部が係合して一体的とされている。
【００１７】
溝部は、例えば長手方向端部から見た状態でＣ字状とされ、その開放両側壁端部が互いに突き合わされるように鉤状に折り曲げられいる。回転係合部は、例えば一端部と途中箇所に大径部が設けられ、その他の部分が小径部とされた軸状の回転枢支軸を有している。この回転枢支軸は、他端部が腕材の一方端部を枢支し、一端部の大径部が溝部内で係合する。
【００１８】
よって、腕材は、回転枢支軸の大径部により溝部と係合した状態で壁面取付材の長手方向に移動が可能となり、かつ溝部内において回転枢支軸により平行状態から直交状態への回転が可能とされる。
【００１９】
支持腕材は、腕材と一体とされた状態で、例えば断面Ｈ字状とされた腕材の一方の開放両側壁間に形成された収納部に収納され、また、この収納状態から腕材に対して直角状態に展開される。腕材の他方端部には、前記断面Ｈ字状の他方の開放両側壁を各々貫通し、支持腕材の一方端部を枢支する枢支軸が形成されている。また、腕材は、他方端部において枢支軸が形成された箇所からさらに端部に、支持腕材を展開したときに該支持腕材の一方端部が当接して、それ以上の回転を禁止するストッパ部が形成されている。
【００２０】
よって、支持腕材は、枢支軸によって腕材と一体とされた状態で、腕材内に収納され、また、腕材から一体とされた状態から重量物を支持するために展開させることが可能とされる。
【００２１】
上記構成の重量物壁面取付具は、折り畳んだ状態では、例えば２個の支持腕材が２個の腕材側にそれぞれ重なるように折り畳まれ、かつこの状態の各々の腕材を壁面取付材と平行になるように回転させて該壁面取付材の収納部に収納している。
【００２２】
このように折り畳んだ状態で、梯子や脚立を昇って取付箇所まで移動した後、まず、壁面取付材を壁面に取り付けて重量物壁面取付具全体を壁面に取り付ける。その後、回転枢支軸により腕材と壁面取付材とが係合した状態のまま、該腕材を壁面取付材と平行にされた状態から垂直になるように回転させる。この後、回転枢支軸により腕材と壁面取付材とが係合した状態のまま溝部によって互いの腕材間の間隔を調整し、最後に支持腕材を展開する。
【００２３】
このように、本発明の重量物壁面取付具は、部材が一体とされているので、他の部材を逐一梯子や脚立を降りて取りに行く必要がなく、また折り畳まれて小型化されているので、梯子や脚立を昇るのに邪魔になったりすることがない。
【００２４】
【実施例】
以下に、本発明の重量物壁面取付具（以下、取付具という）の一実施例について図面を参照して説明する。
図１〜図３において、本発明の取付具１は、重量物として例えばエアコンの室外機Ｐを、構造物として例えば住宅の壁面Ｂにおいて支持するために用いられるものであり、以下の構成とされる。
【００２５】
２は、所定の長さ、つまり後述する２個の腕材３，３の長さより若干大きい長さとされ、壁面Ｂに水平に取り付けられる壁面取付材である。この壁面取付材２は、外形が断面コ字状とされている。
【００２６】
また、壁面取付材２は、前記断面コ字状の一方壁面寄りに、断面Ｃ字状とされ、つまりコ字状の開放両側壁端部を互いに突き合わせるように折り曲げた溝部２Ａが長さ方向全域に形成されている。
【００２７】
さらに、壁面取付材２は、前記断面コ字状の両側壁面内において、溝部２Ａにより区画された以外の箇所に、後述する腕材３，３が収納される収納部２Ｂ（幅広部分と幅狭部分）が形成されている。
【００２８】
なお、壁面取付材２の断面コ字状の底面には、壁面へ該壁面取付材２をビス等を打って取り付けるための取付孔２Ｃが、収納部２Ｂの幅広部分における長さ方向の両端と中央箇所に形成されている。
【００２９】
３は、上記壁面取付材２に対して係合した状態で、収納部２Ｂに該壁面取付材２と平行状に収納され、かつ収納部２Ｂから該壁面取付材２と直交状に回転して展開される腕材であり、この腕材３は本実施例では例えば２個用いる。以下、２個のうち１個の腕材３で説明する
【００３０】
腕材３は、断面Ｈ字状とされ、一方の両側壁間に後述する支持腕材４を収納する収納部３Ａが形成されている。また、腕材３の一方端部における断面Ｈ字状の両側壁間の面には、回転係合部３Ｂが設けられている。回転係合部３Ｂは、前記した腕材３の一方端部における断面Ｈ字状の一方の開放両側壁間の面に形成された取付孔３ａと、回転枢支軸３ｂと、上記溝部２Ａ及び壁面取付材２の幅狭の収納部２Ｂ側における断面コ字状の一方側壁を跨ぐ谷部３ｅとからなる。
【００３１】
回転枢支軸３ｂは、一端部に大径部３ｃが途中箇所に大径部３ｄが各々設けられている。大径部３ｃは、前記溝部２Ａの断面Ｃ字状の鉤状の部分に係合し、つまり溝部２Ａの開放両側壁間から回転枢支軸３ｂの軸方向端部に抜けないようになっている。大径部３ｄは、本実施例の場合は例えばナットでなり、腕材３の取付孔３ａを介して回転枢支軸３ｂの他端部に挿通して取り付けている。従って回転枢支軸３ｂは、本実施例の場合は他端部に螺子が形成されている。
【００３２】
また、腕材３は、その他方端部における断面Ｈ字状の他方の開放両側壁に、後述する支持腕材４を回転枢支する枢支軸３Ｃが設けられている。さらに、腕材３は、前記枢支軸３Ｃが設けられたさらに端部に、後述する支持腕材４が該腕材３に対して直角に展開したとき、それ以上の回転を禁止するストッパ部３Ｄ（図３参照）が形成されている。
【００３３】
ストップ部３Ｄは、腕材３の収納部３Ａの底面と同一平面とされており、その端部には、支持腕材４の切欠が形成されている。本実施例においては、ストッパ部３Ｄは、腕材３と同一部材とされているが、支持腕材４の回転を禁止するものであれば別部材としてもよい。
【００３４】
４は、上記腕材３より若干短い長さとされ、かつ腕材３の断面Ｈ字状の他方の開放両側壁間内に収納可能、つまり腕材３の収納部３Ａに収納可能な幅とされた断面コ字状の支持腕材である。この支持腕材４は、その一方端が枢支軸３Ｃにより腕材３と共に回転可能に枢支され、かつ該腕材３に対して直角状に展開したときには、一方端面がストッパ部３Ｄに当接してそれ以上の回転が禁止される。
【００３５】
また、支持腕材４は、断面コ字状の外底面、つまり腕材３へ折り畳まれる側の面（以下、上面という）における該支持腕材４の長さ方向中央部全域にレール４Ａが形成されている。このレール４Ａには、室外機Ｐと結合するための結合螺子４ａが一端に形成され、その他端にレール４Ａからの抜止防止用の係合部材（不図示）が設けられている。結合螺子４ａには、室外機Ｐの振動を吸収する緩衝材４ｂが螺入されている。
【００３６】
さらに、本発明の取付具１は、本実施例においては、特に上記した壁面取付材２、腕材３，３、支持腕材４，４を、アルミ製としている。このようにすることで、取付具１は軽量となり、取付具１を折り畳んだ状態で梯子を昇る際、また、高所において壁面取付材２を壁面に取り付けるまでの作業について、作業者にかかる取付具１自体の重量の負担を軽減することができる。
【００３７】
上記構成の取付具１は、次のように使用する。室外機Ｐを構造物の壁面に取り付ける場合、まず、位置を決めて、例えば梯子を架けて、位置決めした壁面へ取付具１を持って梯子を昇る。このとき、取付具１は折り畳んだ状態とされている。（図２の状態）
【００３８】
すなわち取付具１は、枢支軸３Ｃを中心に支持腕材４，４の他端側を腕材３，３の一方端部側に折り曲げ、該支持腕材４，４が腕材３，３の収納部３Ａ，３Ａに各々収納された状態となっている。さらに、腕材３，３は、一方端部の回転係合部３Ｂにおける回転枢支軸３ｂを、それぞれ壁面取付材２の溝部２Ａの長さ方向両端へ移動させている。
【００３９】
そして、腕材３，３は、回転枢支軸３ｂを中心に腕材３，３が、壁面取付材２と平行になるように、かつ該腕材３，３の互いの他方端部同士が対向するように収納部２Ｂに収納されている。すなわち腕材３，３は、壁面取付材２の収納部２Ｂ内で次のように収納されている。腕材３，３は、その断面Ｈ字状の一方の開放両側壁における一方側壁が幅狭の収納部２Ｂに収納され、他方側壁が幅広の収納部２Ｂに収納される。
【００４０】
このようにすることで、腕材３，３は溝部２Ａを跨いで断面Ｈ字状の両側壁が各々幅広と幅狭の収納部２Ｂに収納されるから、折り畳んだ状態の支持腕材４，４と腕材３，３の総高さが極端に大きくなることがなく、小型化が可能となる。
【００４１】
上記のように折り畳まれた取付具１を持って梯子を昇り、予め決めた壁面の位置において、折り畳んだ状態の取付具１を、壁面取付材２の（長さ方向の両端部の）取付孔２Ｃから壁面へビスを打ち込んで取り付ける。
【００４２】
その後、取付具１における腕材３，３を壁面取付材２から、支持腕材４，４を腕材３，３から展開する。まず、腕材３，３を壁面取付材２から展開するには、腕材３，３を一旦壁面取付材２から引き上げる、すなわち腕材３，３の断面Ｈ字状の一方の両側壁を、該壁面取付材３の幅広と幅狭の収納部２Ｂから取り出すべく、腕材３，３を回転枢支軸３ｂ，３ｂの大径部３ｄ，３ｄ側へ軸移動させる。
【００４３】
腕材３，３を壁面取付材２から引き上げた後、次に、そのまま回転枢支軸３ｂ，３ｂを中心として腕材３，３の他方端部を互いに外側に離反するように、つまり壁面取付材２に対して直交状になるように、腕材３，３を回転させる。
【００４４】
その後、腕材３，３の谷部３ｅ，３ｅを、壁面取付材２の断面コ字状における幅狭の収納部２Ｂ側の一方壁面と溝部２Ａとに係合させる。そして、室外機Ｐの不図示の取付部の幅に合わせて、溝部２Ａに沿って腕材３，３を移動させ、必要に応じて大径部３ｄ，３ｄとなるナットを回転枢支軸３ｂ，３ｂに螺入して、壁面取付材２に対する腕材３，３の位置を確定し、結合を強固にしておく。（図３の状態）
【００４５】
以上の作業の際、回転枢支軸３ｂ，３ｂの大径部３ｃ，３ｃが溝部２Ａに係合し、かつ大径部３ｄ，３ｄにより腕材３，３が該大径部３ｄ，３ｄより端部へ軸移動することが禁止されるから、すなわち壁面取付材２と腕部３，３とが一体構造とされているから、腕部３，３を壁面取付材２から引き上げた際に、高所から落下させたりすることなく安全に作業が行えると共に、容易に展開させることができ、かつ腕材３，３間の幅を調節することができる。
【００４６】
続いて、支持腕材４，４を腕材３，３の枢支軸３Ｃ，３Ｃを中心に、該腕材３，３に対して直角となるように、該支持腕材４，４の一方端面がストッパ部３Ｄに当接するまで回転させて展開する。もちろんこの作業においても、腕材３，３と支持腕材４，４とが枢支軸３Ｃ，３Ｃで一体とされているから、腕材３，３から支持腕材４，４が落下することはない。
【００４７】
そして、梯子を降り、室外機Ｐを持って再度昇り、まず室外機Ｐを支持腕材４，４の上面に載置し、支持腕材４，４の下面側から、結合螺子４ａ及び緩衝材４ｂをレール４Ａを移動させて室外機Ｐの取付部との位置を合わせる。なお、この作業は、予め室外機Ｐの取付部の位置を把握したうえで、取付具１を取り付けた際に連続的に行い、最後に室外機Ｐを室外機Ｐを支持腕材４，４の上面に載置してもよい。
【００４８】
このように、本発明の取付具１は、全ての部材が一体とされ、また、折り畳んだ状態で小型化されているので、各部材を取りに梯子を降りたりする必要がなく、また、取付具１を持って梯子を昇る際には小型化されているので梯子を安全に昇ることができ、また、折り畳み状態から展開する際には上記したように部材が一体とされているので、部材を高所から落下させたりすることがない。
【００４９】
さらに、本発明の取付具１は、上記した実施例で示すように、壁面取付材２、腕材３，３、支持腕材４，４をアルミ製とすることで、折り畳んで小型化できるうえ、さらに軽量となり、作業者は安全に梯子に昇ることができ、また、高所における作業で作業者にかかる取付具１の重量の負担を軽減することができ、従って、効率よく作業を行うことが可能となる。
【００５０】
【発明の効果】
以上のように、本発明の重量物壁面取付具は、壁面取付材の壁面取付側と反対の面に腕材を収納する収納部と、該腕材の移動をガイドする溝部とが形成され、腕材の壁面取付材側の端部に溝部と係合し、かつ該溝部と係合した箇所を中心に該腕材を該壁面取付材に対して回転及び該壁面取付材の長手方向への移動を可能とする回転係合部が設けられ、腕材の壁面取付材と係合する側の反対側の端部に支持腕材を該腕材と重なるように折り畳むための枢支軸を設けると共に、支持腕材が該腕材と重なった状態から展開した状態となった際にそれ以上の展開を禁止するストッパ部を設けたので、一度に全ての部材を持って梯子や脚立に昇ることができ、また、梯子や脚立に昇る際に嵩張らないから、高所において部材を落下させたり、作業者が梯子や脚立に昇りにくいといった危険性を回避することができる。
【図面の簡単な説明】
【図１】本発明の重量物壁面取付具を示し、（ａ）は展開後の斜視図、（ｂ）は（ａ）のＡ部分の拡大図、（ｃ）は（ｂ）のＢ方向から見た図、である。
【図２】展開前の折り畳まれた状態の本発明の重量物壁面取付具を示す斜視図である。
【図３】展開途中の状態の本発明の重量物壁面取付具を示す斜視図である。
【符号の説明】
１  （重量物壁面）取付具
２  壁面取付材
２Ａ  溝部
２Ｂ  収納部
３  腕材
３Ａ  収納部
３Ｂ  回転係合部
３Ｃ  枢支軸
３Ｄ  ストッパ部
３ａ  取付孔
３ｂ  回転枢支軸
３ｃ  大径部
３ｄ  大径部
３ｅ  谷部
４  支持腕材
４Ａ  レール
【図１】
0003607908.tif 000002
【図２】
0003607908.tif 000003
【図３】
0003607908.tif 000004